(57)【特許請求の範囲】
【請求項１】
貯槽内の底板上で複数のポンプバレル短管を略水平状態に直列接続してポンプバレル配管を作成し、貯槽の屋根に搭載した昇降装置の紐状物を前記ポンプバレル配管の昇降装置下方側端部に接続し、前記ポンプバレル配管の紐状物を接続した側とは反対側の端部を、平面視で前記ポンプバレル配管の軸線方向に対し平行な方向へ移動し得るようにした台車に支持させ、且つ、該台車にポンプバレル配管の紐状物を接続した側から離反する方向へ水平力を付与しつつ、前記紐状物を上昇させることにより前記ポンプバレル配管の紐状物接続側を上昇させ、前記ポンプバレル配管を略水平状態から垂直状態に直立させることを特徴とするポンプバレル配管の据付け方法。
【請求項２】
貯槽の屋根に搭載した昇降装置の紐状物は、昇降装置に設けたダミー配管を挿通されて貯槽内に垂下している請求項１に記載のポンプバレル配管の据付け方法。
【発明の詳細な説明】
【０００１】
【発明の属する技術分野】
本発明は、ポンプバレル配管の据付け方法に関するものである。
【０００２】
【従来の技術】
各種の貯槽には、貯槽内の液体を払出すために貯槽内に液中ポンプを設置するものがあり、斯かる貯槽の場合には液中ポンプはポンプバレル配管内に設置される。
【０００３】
而して、ポンプバレル配管を貯槽内に設置する場合、従来は貯槽外の地表面で短尺のポンプバレル短管を水平且つ直列状に組立てて長尺の所定長さのポンプバレル配管とし、図９に示すごとく、クレーン等の重機１によりポンプバレル配管２を垂直に吊下げ、貯槽３の外槽屋根４に設けた孔５及び内槽屋根６に設けたスリーブ管７を通してポンプバレル配管２を貯槽３内に挿入している。
【０００４】
なお、図９中、８は内槽側板、９は内槽底板である。
【０００５】
【発明が解決しようとする課題】
ポンプバレル配管２は直径６００ｍｍ、長さ４０ｍ、重さ１０ＴＯＮ程度もあるため、これを地表面で水平に組立てた状態から垂直に立てて孔５やスリーブ管７から貯槽３内へ挿入するためには、地下式の貯槽では４５ｍ程度、地上式貯槽では８０ｍ程度の吊り代が必要となり、従って大型の重機が必要となる。
【０００６】
又、ポンプバレル配管２を地表面で垂直に立てる際には、ポンプバレル配管２を安定した状態で吊るために２台の重機が必要となる。
【０００７】
更に完成したポンプバレル配管２を貯槽３内に挿入する際に、重量の大きいポンプバレル配管２が振れて内槽屋根６に干渉するのを防止するためスリーブ管７が必要となる（外槽屋根４には不必要）。
【０００８】
更に又、ポンプバレル配管２の組立ては屋外で行う必要があるため、作業は天候の影響を受ける。
【０００９】
本発明は上述の実情に鑑み、大型の重機を必要とせず、しかも重機は１台ですみ、又スリーブ管が不要となり、更には作業が天候の影響を受けることのないようにしたポンプバレル配管の据付け方法を提供することを目的としてなしたものである。
【００１０】
【課題を解決するための手段】
本発明は、貯槽内の底板上で複数のポンプバレル短管を略水平状態に直列接続してポンプバレル配管を作成し、貯槽の屋根に搭載した昇降装置の紐状物を前記ポンプバレル配管の昇降装置下方側端部に接続し、前記ポンプバレル配管の紐状物を接続した側とは反対側の端部を、平面視で前記ポンプバレル配管の軸線方向に対し平行な方向へ移動し得るようにした台車に支持させ、且つ、該台車にポンプバレル配管の紐状物を接続した側から離反する方向へ水平力を付与しつつ、前記紐状物を上昇させることにより前記ポンプバレル配管の紐状物接続側を上昇させ、前記ポンプバレル配管を略水平状態から垂直状態に直立させるものである。
【００１１】
従って、本発明ではポンプバレル配管を昇降装置により略水平状態から垂直状態に立上げるだけで良いため、大きな吊り代が不要となって大型の重機を必要とせず、又複数の重機やスリーブ管も不要となり、更に作業が天候に左右されないため工期の短縮を図ることができる。
又、本発明で、ポンプバレル配管の紐状物を接続した側と反対側の端部を、平面視でポンプバレル配管の軸線方向に対し平行な方向へ移動し得るようにした台車に支持させ、且つ、該台車にポンプバレル配管の紐状物を接続した側から離反する方向へ水平力を付与しつつ、紐状物を上昇させることにより前記ポンプバレル配管の紐状物接続側を上昇させ、ポンプバレル配管を略水平状態から垂直状態に直立させるようにしているため、ポンプバレル配管が徐々に水平状態から垂直状態に立上って行く際に、台車に作用するポンプバレルの紐状物接続側へ向いた水平力により台車が急速にポンプバレルの紐状物接続側へ移動するようなことがなく、従って、スムーズ且つ安全に作業を行なうことができる。
【００１２】
更に、本発明では、貯槽の屋根に搭載した昇降装置の紐状物は、昇降装置に設けたダミー配管を挿通されて貯槽内に垂下しているため、昇降装置の紐状物が貯槽の屋根に干渉することがない。
【００１３】
【発明の実施の形態】
以下、本発明の実施の形態を添付図面を参照しつつ説明する。
【００１４】
図１〜図８は本発明の実施の形態の一例である。
【００１５】
図１中、１０は例えば外槽屋根４、内槽屋根６に設けた工事用の孔５，１１から貯槽３内に取込まれた、接続部材１０ａ付きの複数のポンプバレル短管であり、１２は、内槽底板９上でポンプバレル短管１０を接続する際に使用する枕木等の支持体である。なお、貯槽３の構造によってはポンプバレル配管１０は側板に設けた工事用の孔から取込むこともできる。
【００１６】
図２中、１３は外槽屋根４上に設置したポンプバレル配管吊り架台であり、１４はポンプバレル配管吊り架台１３に設置した電動ホイストであり、１５はポンプバレル配管吊り架台１３に取付けられ、孔５，１１（図１参照）を通って貯槽３上部へ僅かに挿入されたダミー配管である。
【００１７】
図３中、１６は電動ホイスト１４から繰出され且つ貯槽３内においてポンプバレル配管２を吊上げたときに上方となる部分に接続されたワイヤロープであり、１７はポンプバレル配管２を吊上げたときに下方となる部分を支持するよう、内槽底板９上に移動可能に設置した台車であり、１８は傾斜状態のポンプバレル配管２の自重による水平力により台車１７が必要以上に動かないよう図示してないウインチにより台車１７をワイヤロープ１６接続側とは反対の側すなわち後方へ引張るようにしたワイヤロープである。
【００１８】
図６中、１９は垂直に立てられたポンプバレル配管２を支持する枕木等の支持体である。図７中、２０は内槽側板８と接続部材１０ａを接続してポンプバレル配管２を支持する支持部材である。図８中、２１は外槽屋根４と内槽屋根６を貫通してポンプバレル配管２の上端に接続された上部ポンプバレル配管である。
【００１９】
なお、図１〜図８中、同一部分には同一の符号が付してある。
【００２０】
次に、本発明による作業手順について説明する。
【００２１】
地表上で接続部材１０ａ付きの或る程度の長さのポンプバレル短管１０を作成し、該ポンプバレル短管１０を小型の重機により吊下げ、工事用の孔５，１１を通して貯槽３内に搬入し、内槽底板９上に配置してある支持体１２上に水平状態に載置し、隣り合うポンプバレル短管１０の当接面同士を順次溶接して行き、所定長さのポンプバレル配管２を作成する（図１参照）。
【００２２】
次に、外槽屋根４の孔５直上部にポンプバレル配管吊り架台１３を搭載すると共にポンプバレル配管吊り架台１３に、外槽屋根４の孔５及び内槽屋根６の孔１１を通って下端が内槽屋根６よりも若干下方に位置するようにしたダミー配管１５を接続し、ポンプバレル配管吊り架台１３上部に電動ホイスト１４を設置する（図２参照）。
【００２３】
ポンプバレル配管吊り架台１３等の設置が終了したら、電動ホイスト１４からワイヤロープ１６を繰出し、該ワイヤロープ１６をダミー配管１５内を挿通させて貯槽３内に垂下し、その下端を内槽底板９上で予め作成してあるポンプバレル配管２のダミー配管１５略直下先端に接続する（図３参照）。
【００２４】
ワイヤロープ１６はダミー配管１５内を通っているためワイヤロープ１６が外槽屋根４や内槽屋根６に干渉することはない。
【００２５】
又、ポンプバレル配管２のワイヤロープ１６接続側とは反対側の端部を走行可能な台車１７に支持させると共にポンプバレル配管２の台車１７上の端部に、図示してないウインチにより所定の張力でポンプバレル配管２を引張り得るようにしたワイヤロープ１８を接続し、又水平状態のポンプバレル配管２の下部から支持体１２を撤去する。
【００２６】
所定の準備が終了したら、電動ホイスト１４によりワイヤロープ１６を巻取る。このため、図４に示すごとくポンプバレル配管２は徐々に立上って行く。この際、台車１７はポンプバレル配管２の下端により引張られて徐々にダミー配管１５側へ移動するが、台車１７はワイヤロープ１８を介してウインチにより後方（台車１７の移動方向とは反対方向）へ引張られているためポンプバレル配管２が徐々に立上って行く際に、台車１７に作用するダミー配管１５側へ向いた水平力により台車１７が急速にダミー配管１５側へ移動するようなことはない。
【００２７】
図５に示すように、ポンプバレル配管２が台車１７に搭載された状態でダミー配管１５の下方に垂直状態に立上ったら、電動ホイスト１４により更にワイヤロープ１６を巻取ってポンプバレル配管２を上昇させ、その下端を台車１７から若干上昇させ、台車１７を撤去して台車１７のあった部分に枕木等の支持体１９を設置し、電動ホイスト１４によりワイヤロープ１６を繰出してポンプバレル配管２を若干下降させ、図６に示すごとく、その下端を支持体１９に支持させる。
【００２８】
ポンプバレル配管２が直立状態で支持体１９に支持されたら、電動ホイスト１４のワイヤロープ１６によりポンプバレル配管２を直立状態に支持したまま、ダミー配管１５又は屋根部とポンプバレル配管２とを、ポンプバレル配管２が転倒しないよう拘束する。而して所定の足場を設置した後図７に示すごとく、内槽側板８とポンプバレル配管２に取付けられている接続部材１０ａとを水平な支持部材２０により接続し、ポンプバレル配管２を支持部材２０を介して内槽側板８に支持させる。
【００２９】
ポンプバレル配管２が支持部材２０を介して内槽側板８に支持されたら、ポンプバレル配管吊り架台１３、電動ホイスト１４、ダミー配管１５を外槽屋根４部及び内槽屋根６部から撤去し、この撤去部分に地表側から小型の重機により吊下げた短い上部ポンプバレル配管２１を挿入し、該配管２１の下端をポンプバレル配管２の上端に溶接する。
【００３０】
これで、ポンプバレル配管２の据付けは終了するが、そのときの姿は図８に示すようになる。
【００３１】
本発明の実施の形態においては、ポンプバレル短管１０を貯槽３に搬入して貯槽３内でポンプバレル配管２を作成するようにしているため、吊り代を大きく取る必要がなく、従って大型の重機が不必要となる。
【００３２】
又、ポンプバレル配管２を垂直に直立させるためには、電動ホイスト１４を使用すれば良いため複数の重機を使用することが不要となる。
【００３３】
更にスリーブ管が不要となるうえ、作業が天候に左右されることがなくなるため、工期の短縮を図ることができる。
【００３４】
なお、本発明は上述の実施の形態例に限定されるものではなく、本発明の要旨を逸脱しない範囲内で種々変更を加え得ること、等は勿論である。
【００３５】
【発明の効果】
本発明のポンプバレル配管の据付け方法によれば、請求項１、２の何れにおいても、大型の重機や複数の重機が不要となるため貯槽の建設コストを削減することができ、又、スリーブ管が不要となり、更には作業が天候に左右されなくなるため工期の短縮化を図ることができ、しかも、ポンプバレル配管が徐々に水平状態から垂直状態に立上って行く際に、台車に作用するポンプバレルの紐状物接続側へ向いた水平力により台車が急速にポンプバレルの紐状物接続側へ移動するようなことがなく、従って、スムーズ且つ安全に作業を行なうことができ、請求項２の場合は、昇降装置の紐状物が貯槽の屋根に干渉することがない、等種々の優れた効果を奏し得る。
【図面の簡単な説明】
【図１】本発明の実施の形態において、貯槽内でポンプバレル短管を接続してポンプバレル配管を作成する状態を示す正面図である。
【図２】本発明の実施の形態において、外槽屋根にポンプバレル配管吊り架台を設置し、内槽屋根及び外槽屋根にダミー配管を接続した状態を示す正面図である。
【図３】本発明の実施の形態において、ポンプバレル配管の先端をポンプバレル配管吊り架台に設置した電動ホイストから繰出されたワイヤロープにより吊ると共にポンプバレル配管の後端を台車に支持させた状態を示す正面図である。
【図４】本発明の実施の形態において、電動ホイストによりワイヤロープを巻取ることにより、ポンプバレル配管が徐々に立上っていく状態を示す正面図である。
【図５】本発明の実施の形態において、台車に搭載された状態でポンプバレル配管が直立した状態を示す正面図である。
【図６】本発明の実施の形態において、垂直に直立したポンプバレル配管の下端を枕木等の支持体により支持した状態を示す正面図である。
【図７】本発明の実施の形態において、ポンプバレル配管を支持部材を介して内槽側板に支持させた状態を示す正面図である。
【図８】ポンプバレル配管及び上部ポンプバレル配管を所定の状態に据付けた状態を示す正面図である。
【図９】貯槽外の地表上で作成したポンプバレル配管を外槽屋根の上方から貯槽へ搬入する従来の方法の一例を示す正面図である。
【符号の説明】
２    ポンプバレル配管
３    貯槽
４    外槽屋根（屋根）
６    内槽屋根（屋根）
９    内槽底板（底板）
１０  ポンプバレル短管
１４  電動ホイスト（昇降装置）
１５ ダミー配管
１６  ワイヤロープ（紐状物）
１７  台車
【図１】
0003941200.tif 000002
【図２】
0003941200.tif 000003
【図３】
0003941200.tif 000004
【図４】
0003941200.tif 000005
【図５】
0003941200.tif 000006
【図６】
0003941200.tif 000007
【図７】
0003941200.tif 000008
【図８】
0003941200.tif 000009
【図９】
0003941200.tif 000010